(57)【要約】【課題】プライベートアドレス上に設置されたメディアゲートウェイをグローバルアドレス上に設置されたメディアゲートウェイコントローラから制御し、音声交換を実現するＩＰ電話交換システムを提供すること。【解決手段】プライベートアドレス上に設置したメディアゲートウェイ１１のグローバルアドレスを検知するグローバルアドレス検知手段１４Ａおよびそのグローバルアドレスをメディアゲートウェイコントローラ１３に通知する検知アドレス通知手段１４Ｂを有するアドレス検知メディアゲートウェイ１４と、アドレス検知メディアゲートウェイ１４から通知されたグローバルアドレスへＲＴＰパケットを送信するよう制御可能なプライベートアドレスメディアゲートウェイ制御手段１３Ａを有するメディアゲートウェイコントローラ１３とを備える。【選択図】　　　　図１
2004096343.tif 000002
【特許請求の範囲】
【請求項１】
ＩＰ（Ｉｎｔｅｒｎｅｔ　Ｐｒｏｔｏｃｏｌ）ネットワークを使用してＭＥＧＡＣＯ（Ｍｅｄｉａ　Ｇａｔｅｗａｙ　Ｃｏｎｔｒｏｌ）プロトコルにより音声信号を伝送するＩＰ電話交換システムにおいて、
プライベートアドレス上に設置されたメディアゲートウェイのグローバルアドレスを検知するグローバルアドレス検知手段および前記検知されたグローバルアドレスをメディアゲートウェイコントローラに通知する検知アドレス通知手段を有するアドレス検知メディアゲートウェイと、該アドレス検知メディアゲートウェイから通知された前記グローバルアドレスへＲＴＰパケットを送信するプライベートアドレスメディアゲートウェイ制御手段を有するメディアゲートウェイコントローラとを備えることを特徴とするＩＰ電話交換システム。
【請求項２】
前記アドレス検知メディアゲートウェイおよび前記メディアゲートウェイコントローラは、同一装置内に実装することを特徴とする請求項１に記載のＩＰ電話交換システム。
【請求項３】
前記アドレス検知メディアゲートウェイおよび前記メディアゲートウェイコントローラは、同一ＩＰアドレスを有することを特徴とする請求項２に記載のＩＰ電話交換システム。
【請求項４】
前記アドレス検知メディアゲートウェイを、前記グローバルアドレス上の他のメディアゲートウェイ内に実装することを特徴とする請求項１に記載のＩＰ電話交換システム。
【請求項５】
プライベートアドレス上に設置されたメディアゲートウェイと、グローバルアドレス上に設置されたメディアゲートウェイおよびメディアゲートウェイコントローラと、ルータとを含むＩＰ電話交換システムにおいて、
前記グローバルアドレス上に設置され、前記プライベートアドレス上に設置されたメディアゲートウェイのグローバルアドレスを検知するグローバルアドレス検知手段および該グローバルアドレス検知手段が検知した前記グローバルアドレスを前記メディアゲートウェイコントローラに通知する検知アドレス通知手段を有するアドレス検知メディアゲートウェイを備えることを特徴とするＩＰ電話交換システム。
【請求項６】
前記メディアゲートウェイコントローラは、前記検知アドレス通知手段から通知されたグローバルアドレスへＲＴＰパケットを送信するプライベートアドレスメディアゲートウェイ制御手段を備えることを特徴とする請求項５に記載のＩＰ電話交換システム。
【請求項７】
前記アドレス検知メディアゲートウェイおよび前記メディアゲートウェイコントローラは、同一装置内に実装されることを特徴とする請求項５又は６に記載のＩＰ電話交換システム。
【発明の詳細な説明】
【０００１】
【発明の属する技術分野】
本発明はＩＰ（Ｉｎｔｅｒｎｅｔ　Ｐｒｏｔｏｃｏｌ）電話交換システム、特にＩＰネットワーク上における音声交換制御システムに関する。
【０００２】
【従来の技術】
近年、電話交換システムもＩＰネットワークを使用した新しい交換システムが採用されつつある。従来、音声伝送用の専用ネットワークをデータ通信用のネットワークとは別に構築していたが、近年のＶｏＩＰ（Ｖｏｉｃｅ　ｏｖｅｒ　ＩＰ）技術の発展およびデータ通信用ネットワークのデータ通信量が爆発的に増加している。これに伴い、音声伝送用の専用ネットワークおよびデータ通信用のネットワークを統合し、音声データをパケット化して、音声およびデータを１つのネットワーク上での伝送を実現する。これにより、大幅なコスト削減を図る動きが出てきている。そのような中で、ＩＰネットワークを使用した新しい交換システムとして、ＩＥＴＦ／ＩＴＵで標準化されたＭＥＧＡＣＯ（Ｍｅｄｉａ　Ｇａｔｅｗａｙ　Ｃｏｎｔｒｏｌ）プロトコルを使用した交換システムがある。
【０００３】
斯かる技術分野における従来技術は、例えば特開２０００−５９４１５号公報の「インターネット電話用ゲートウェイ装置」および特開２００１−１５６８５２号公報の「ネットワークアドレス変換装置」等に開示されている。
【０００４】
図２は、従来のＩＰ交換システムのシステム構成図を示す。このＩＰ交換システム２０は、それぞれＮＡＰＴ（Ｎｅｔｗｏｒｋ　Ａｄｄｒｅｓｓ　Ｐｏｒｔ　Ｔｒａｎｓｌａｔｉｏｎ）搭載のルータ２３に接続され、プライベートアドレス上に設置されたメディアゲートウェイ２１およびグローバルアドレス上に設置されたメディアゲートウェイ２２と、メディアゲートウェイコントローラ２４とにより構成される。
【０００５】
このＩＰ交換システム２０においては、図２に示す如く、グローバルアドレスを持つメディアゲートウェイ（ＩＰ電話機やＩＰベースの自営電話設備等）２２に対する制御は問題なく行える。しかし、ＮＡＰＴ等を搭載したルータ２３の配下にあるプライベートアドレスを持つメディアゲートウェイ２１に対しては、メディアゲートウェイが使用するＲＴＰ／ＲＴＣＰ（Ｒｅａｌ−Ｔｉｍｅ　Ｔｒａｎｓｐｏｒｔ　Ｐｒｏｔｏｃｏｌ／ＲＴＰ　Ｃｏｎｔｒｏｌ　Ｐｒｏｔｏｃｏｌ）のプライベートアドレスとポート番号をメディアゲートウェイコントローラ２４に通知する。そのため、メディアゲートウェイコントローラ２４は、そのプライベートアドレスに対するグローバルアドレスとポート番号が特定できず、通常の制御方法では正しく通話を行うことができなかった。
【０００６】
上述した問題点について、代表的なＭＥＧＡＣＯプロトコルによる制御を適用した場合の具体的に基づき、図２および図３を参照して詳細に説明する。先ず、図２において、メディアゲートウェイコントローラ２４は、それぞれメディアゲートウェイ２１およびメディアゲートウェイ２２に対して、各メディアゲートウェイ２１、２２内の音声パスを接続するよう指示すると共に、ＲＴＰ　受信用のＩＰアドレスとポート番号を問い合わせる（ステップＳ１、Ｓ２）。これらの指示内容を、それぞれＡ１およびＡ２に示す。
【０００７】
次に、それぞれの問い合わせの応答として取得したＲＴＰ受信用のＩＰアドレスとポート番号の通知を、それぞれメディアゲートウェイ２１、２２から受け取る（ステップＳ３、Ｓ４）。それらの受信内容を、それぞれＡ３、Ａ４に示す。メディアゲートウェイ２４は、受信内容をそれぞれ相手先の各メディアゲートウェイ２１、２２に通知して、通話音声のＲＴＰパケットを送信するよう指示する（ステップＳ５、Ｓ６）。これらの指示内容を、それぞれＡ５、Ａ６に示す。最後に、それぞれメディアゲートウェイ２１、２２からメディアゲートウェイコントローラ２４に対して応答する（ステップＳ７、Ｓ８）これらの応答内容を、それぞれＡ７、Ａ８に示す。
【０００８】
しかし、このとき、この例のメディアゲートウェイ２１の如くプライベート空間にメディアゲートウェイが配置されている場合には、そのメディアゲートウェイは、プライベートアドレスしか知らないので、グローバルアドレスを通知することができない。そのため、この例でいうメディアゲートウェイ２２に相当する相手先のメディアゲートウェイは、正しい宛先にＲＴＰパケットを送信することができない。斯かる問題を解決する手段として、既に以下の如き２つの手法が検討・提案されている。
【０００９】
第１の手法は、各メディアゲートウェイの使用するグローバルアドレスおよびポート番号をＮＡＰＴ使用するルータ等に登録しておく。これと同時に、各メディアゲートウェイにも自分の使用するグローバルアドレスおよびポート番号を登録しておく手法である。第２の手法は、ＮＡＰＴの如きアドレス変換装置に、特定のプロトコルに対して特別な変換機能を持たせ（例えば、上述した特開２００１−１５６８５２号公報に開示されるＨ．３２３プロトコルのプロトコル内データのアドレス変換方法）、アプリケーションプロキシーを導入する手法である。
【００１０】
【発明が解決しようとする課題】
しかしながら、上述した従来技術では、次のような問題がある。第１の手法では、使用するメディアゲートウェイのＩＰアドレスおよびポート番号を全てＮＡＰＴ使用するルータ等に登録しておく必要がある。そのため、メディアゲートウェイの数が多くなると、多数のＩＰアドレスおよびポート番号が登録されるので、そのテーブルを十分実用的な早さで検索できるルータが必要となるという問題がある。また、ＩＰアドレスおよびポート番号を固定的に割り当てるため、セキュリティ面を考慮した場合には、外部からの攻撃にさらされ、何らかのセキュリティホールとなる可能性が高いという問題点もある。また、グローバルアドレスを登録できるような特別なメディアゲートウェイを用意しなければならないという問題点もある。
【００１１】
他方、上述した第２の手法では、メディアゲートウェイを設置するプライベートネットワークとの間に、特殊なアドレス変換装置を必ず導入しなければならない。そこで、メディアゲートウェイ設置利用者に多大な負担を強いる必要等があるため、なかなか導入に踏み切れないことが多いという問題点がある。
【００１２】
【発明の目的】
本発明は、従来技術の上述した課題に鑑みなされたものであり、特別なアドレス変換装置等を使用することなく、ＩＰネットワークにおいてプライベートアドレスを使用するサブネットワークに接続されたＩＰ電話機やＩＰベースの自営電話設備等のメディアゲートウェイを制御することのできるＩＰ電話交換システムを提供することを目的とする。
【００１３】
【課題を解決するための手段】
前述の課題を解決するため、本発明のＩＰ電話交換システムは、次のような特徴的な構成を採用している。
【００１４】
（１）ＩＰ（Ｉｎｔｅｒｎｅｔ　Ｐｒｏｔｏｃｏｌ）ネットワークを使用してＭＥＧＡＣＯ（Ｍｅｄｉａ　Ｇａｔｅｗａｙ　Ｃｏｎｔｒｏｌ）プロトコルにより音声信号を伝送するＩＰ電話交換システムにおいて、
プライベートアドレス上に設置されたメディアゲートウェイのグローバルアドレスを検知するグローバルアドレス検知手段および前記検知されたグローバルアドレスをメディアゲートウェイコントローラに通知する検知アドレス通知手段を有するアドレス検知メディアゲートウェイと、該アドレス検知メディアゲートウェイから通知された前記グローバルアドレスへＲＴＰパケットを送信するプライベートアドレスメディアゲートウェイ制御手段を有するメディアゲートウェイコントローラとを備えるＩＰ電話交換システム。
【００１５】
（２）前記アドレス検知メディアゲートウェイおよび前記メディアゲートウェイコントローラは、同一装置内に実装する上記（１）に記載のＩＰ電話交換システム。
【００１６】
（３）前記アドレス検知メディアゲートウェイおよび前記メディアゲートウェイコントローラは、同一ＩＰアドレスを有する上記（２）に記載のＩＰ電話交換システム。
【００１７】
（４）前記アドレス検知メディアゲートウェイを、前記グローバルアドレス上の他のメディアゲートウェイ内に実装する上記（１）に記載のＩＰ電話交換システム。
【００１８】
（５）プライベートアドレス上に設置されたメディアゲートウェイと、グローバルアドレス上に設置されたメディアゲートウェイおよびメディアゲートウェイコントローラと、ルータとを含むＩＰ電話交換システムにおいて、
前記グローバルアドレス上に設置され、前記プライベートアドレス上に設置されたメディアゲートウェイのグローバルアドレスを検知するグローバルアドレス検知手段および該グローバルアドレス検知手段が検知した前記グローバルアドレスを前記メディアゲートウェイコントローラに通知する検知アドレス通知手段を有するアドレス検知メディアゲートウェイを備えるＩＰ電話交換システム。
【００１９】
（６）前記メディアゲートウェイコントローラは、前記検知アドレス通知手段から通知されたグローバルアドレスへＲＴＰパケットを送信するプライベートアドレスメディアゲートウェイ制御手段を備える上記（５）に記載のＩＰ電話交換システム。
【００２０】
（７）前記アドレス検知メディアゲートウェイおよび前記メディアゲートウェイコントローラは、同一装置内に実装される上記（５）又は（６）に記載のＩＰ電話交換システム。
【００２１】
【発明の実施の形態】
以下、本発明によるＩＰ電話交換システムの好適実施形態の構成および動作を、添付図面を参照して詳細に説明する。
【００２２】
図１は、本発明によるＩＰ電話交換システムの好適（又は第１）実施形態のシステム構成を示すブロック図である。このＩＰ電話交換システム１０は、ＮＡＰＴ登載のルータ１５、プライベートアドレス上に設置されたメディアゲートウェイ１１およびグローバルアドレス上に設置されたメディアゲートウェイ１２、メディアゲートウェイコントローラ１３およびアドレス検知メディアゲートウェイ１４により構成される。ここで、メディアゲートウェイコントローラ１３は、プライベートアドレスメディアゲートウェイ制御手段１３Ａを含んでいる。また、アドレス検知メディアゲートウェイ１４は、グローバルアドレス検知手段１４Ａおよび検知アドレス通知手段１４Ｂを含んでいる。
【００２３】
即ち、図１に示すＩＰ電話交換システム１０は、グローバルアドレス検知手段１４Ａおよび検知アドレス通知手段１４Ｂを有するアドレス検知メディアゲートウェイ１４と、メディアゲートウェイコントローラ１３内にプライベートアドレスメディアゲートウェイ制御手段１３Ａを設けることを特徴とする。また、そのうち少なくとも１台のメディアゲートウェイ１１（ＩＰ電話機やＩＰベースの自営電話設備等）がプライベートアドレスを使用するサブネットワークに接続されているものとする。尚、各メディアゲートウェイ内には、そのメディアゲートウェイが必要とする各種手段が設けられているが、本発明とは直接関係しないので、その詳細な構成は省略することとする。
【００２４】
次に、本発明によるＩＰ電話交換システムの特徴的な動作を説明する。この実施形態のＩＰ電話交換システム１０では、メディアゲートウェイ１１がルータ１５の配下のプライベートアドレス下にあり、メディアゲートウェイ１２がグローバルアドレス下にあるものとする。また、ルータ１５の設定は、プライベートアドレス下からグローバルアドレス下へのパケットに関しては制限なく行えるものとする。一方、グローバルアドレス下からプライベートアドレス下へは、プライベートアドレス下からグローバルアドレス下へのパケットの相手先ＩＰアドレス／ポート番号からルータ１５上の発信元ＩＰアドレス／ポート番号へのパケットのみプライベートアドレス下に中継するものとする。これは、ＮＡＰＴやＩＰマスカレード等の標準的なアドレス変換装置を搭載するルータの標準的な設定である。
【００２５】
先ず、メディアゲートウェイ１１およびメディアゲートウェイ１２の間で音声通信を実現するためにＲＴＣＰ／ＲＴＰによる音声パケットの伝送により音声通信を行わせる制御について説明する。メディアゲートウェイコントローラ１３のプライベートアドレスメディアゲートウェイ制御手段１３Ａは、メディアゲートウェイ１１に対して、アドレス検知メディアゲートウェイ１４にＲＴＰパケットを送出するように指示する（ステップａ）。
【００２６】
次に、メディアゲートウェイ１１は、アドレス検知メディアゲートウェイ１４にＲＴＰパケットを送出する。アドレス検知メディアゲートウェイ１４内のグローバルアドレス検知手段１４Ａは、受信したＲＴＰパケットの送信元ＩＰアドレスおよびＵＤＰ（Ｕｓｅｒ　Ｄａｔａｇｒａｍ　Ｐｒｏｔｏｃｏｌ）ポート番号から、メディアゲートウェイ１１のＲＴＰ接続用のグローバルなＩＰアドレスおよびＵＤＰポート番号を取得して、検知アドレス通知手段１４Ｂに通知する（ステップｂ）。
【００２７】
次に、アドレス検知メディアゲートウェイ１４内の検知アドレス通知手段１４Ｂは、通知されたメディアゲートウェイ１１のグローバルなＩＰアドレスおよびＵＤＰポート番号をメディアゲートウェイコントローラ１３のプライベートアドレスメディアゲートウェイ制御手段１３Ａに通知する処理を行う（ステップｃ）。
【００２８】
次に、メディアゲートウェイコントローラ１３のプライベートアドレスメディアゲートウェイ制御手段１３Ａは、受信したメディアゲートウェイ１１のグローバルなＩＰアドレスおよびＵＤＰポート番号に向けて、ＲＴＰパケットを送出するようメディアゲートウェイ１２に指示する（ステップｄ）。
【００２９】
そこで、メディアゲートウェイ１２は、指示されたグローバルなＩＰアドレスおよびＵＤＰポート番号にＲＴＰパケットを送出する（ステップｅ）。更に、メディアゲートウェイコントローラ１３のプライベートアドレスメディアゲートウェイ制御手段１３Ａは、メディアゲートウェイ１１に対して、ＲＴＰパケットの送出先をメディアゲートウェイ１２に変更するよう指示する（ステップｆ）。最後に、メディアゲートウェイ１１は、メディアゲートウェイ１２に対してＲＴＰパケットを送出する。即ち、ＲＴＰの送出先の変更を行う（ステップｇ）。
【００３０】
以上の如く、グローバルアドレス検知手段１４Ａおよび検知アドレス通知手段１４Ｂを有するアドレス検知メディアゲートウェイ１４およびメディアゲートウェイコントローラ１３内にプライベートアドレスメディアゲートウェイ制御手段１３Ａを設けることを、本発明による電話交換システム１０の最大の特徴とする。斯かる構成により、プライベートアドレスを使用するサブネットワークに接続されたメディアゲートウェイ（ＩＰ電話機やＩＰベースの自営電話設備等）を制御し、正しく音声通信を行わせることが可能になる。
【００３１】
尚、上述した本発明によるＩＰ電話交換システムの動作例は、一方のメディアゲートウェイのみプライベートアドレスを使用するサブネットワークに接続されている場合であるが、双方のメディアゲートウェイがプライベートアドレスを使用するサブネットワークに接続されている場合であっても、双方に対して同様な制御を行うことにより実現できることは明らかである。
【００３２】
次に、本発明によるＩＰ電話交換システムの他の実施形態を説明する。その基本的構成は、上述した好適実施形態の通りであるが、メディアゲートウェイコントローラ１３およびアドレス検知メディアゲートウェイ１４を同一の装置内に実現し、同一のＩＰアドレスを持たせてもよい。斯かる構成により、既存のメディアゲートウェイコントローラ以外に物理的に別のメディアゲートウェイを設置することなく、メディアゲートウェイコントローラのソフトウェアを変更することにより、メディアゲートウェイコントローラおよびアドレス検知メディアゲートウェイを持たせることができるため、余分なハードウェアを設置することなく実現で可能である。また、接続開始時のみＲＴＰパケットを受信するだけなので、アドレス検知メディアゲートウェイの負荷量は、メディアゲートウェイコントローラの負荷に対して、それほど大きくはない。
【００３３】
また、本発明によるＩＰ電話交換システムの更に他の実施形態を説明する。その基本的構成は上述した好適実施形態と同様であるが、アドレス検知メディアゲートウェイ１４をグローバルアドレス上の他のメディアゲートウェイ内に実現してもよい。斯かる構成にすれば、上述した他の実施形態の場合と同様に、物理的に別のメディアゲートウェイを設置することなく、アドレス検知メディアゲートウェイの機能を追加するメディアゲートウェイのソフトウェアを変更して持たせることが可能である。そのため、余分なハードウェアを設置することなく実現できる。
【００３４】
以上、本発明によるＩＰ電話交換システムのいくつかの実施形態の構成および動作を詳述した。しかし、斯かる実施形態は、本発明の単なる例示に過ぎず、何ら本発明を限定するものではないことに留意されたい。本発明の用紙を逸脱することなく、特定用途に応じて種々の変形変更が可能であること、当業者には容易に理解できよう。
【００３５】
【発明の効果】
以上の説明から理解される如く、本発明のＩＰ電話交換システムによると、次のような実用上の顕著な効果を奏する。第１に、グローバルアドレス検知手段および検知アドレス通知手段を有するアドレス検知メディアゲートウェイと、プライベートアドレスメディアゲートウェイ制御手段を有するメディアゲートウェイコントローラを含む電話交換システムとすることにより、ＩＰ電話機やＩＰベースの自営電話設備等のメディアゲートウェイをグローバルアドレスではなく、ＮＡＰＴやＩＰマスカレード等を搭載したルータ配下のプライベートアドレスに配置して使用することが可能である。そのため、有限のグローバルアドレスを不当に消費することなく、効率的な運用が可能である。
【００３６】
第２に、ルータ内に特別なアドレス変換装置等を使用することなく、ＮＡＰＴやＩＰマスカレード等のアドレス変換装置の設定等も標準的な設定のまま運用できるので、システム構築が容易である。
【００３７】
第３に、メディアゲートウェイコントローラおよびアドレス検知メディアゲートウェイを同一の装置内に実装すれば、余分なハードウェアを設置することなく実現できる。従って、グローバルアドレス下にメディアゲートウェイを設置した場合と比較して、設置費用に大差がない。
【００３８】
第４に、アドレス検知メディアゲートウェイをグローバルアドレス上の他のメディアゲートウェイ内に実装すれば、余分なハードウェアを設置することなく実現でき、グローバルアドレス下にメディアゲートウェイを設置した場合と比較して設置費用に大差がない。
【図面の簡単な説明】
【図１】本発明によるＩＰ電話交換システムの好適実施形態のシステム構成および動作シーケンスを説明する図である。
【図２】従来のＩＰ電話交換システムのシステム構成を示すブロック図である。
【図３】図２に示す従来のＩＰ電話交換システムの動作を示すシーケンス図である。
【符号の説明】
１０　ＩＰ電話交換システム
１１、１２　メディアゲートウェイ
１３　メディアゲートウェイコントローラ
１３Ａ　プライベートアドレスメディアゲートウェイ制御手段
１４　アドレス検知メディアゲートウェイ
１４Ａ　グローバルアドレス検知手段
１４Ｂ　検知アドレス通知手段
１５　ルータ
【図１】
2004096343.tif 000003
【図２】
2004096343.tif 000004
【図３】
2004096343.tif 000005